(57)【要約】【課題】位置推定を行う範囲、ターゲット端末数の増加に伴い、通信量が増加する問題を軽減し、同時に高精度な位置推定を可能とする位置推定システムを得る。【解決手段】無線信号から位置推定に必要な情報を取得し、取得した位置推定に必要な情報と、リファレンス端末２０の位置とに基づき複数のターゲット端末１０のそれぞれの第１の推定位置を求め、無線信号から取得した位置推定に必要な情報と、推定対象ターゲット端末１０以外の他のターゲット端末１０の第１の推定位置と、リファレンス端末２０の位置とに基づきターゲット端末１０の第２の推定位置を求める。【選択図】図１
2007218614.tif 000002
【特許請求の範囲】
【請求項１】
複数配置されるターゲット端末と、既知の位置に複数配置されるリファレンス端末とがが無線信号を授受し、前記無線信号と前記リファレンス端末の位置とに基づき前記ターゲット端末の位置を推定する位置推定方法であって、
前記無線信号から位置推定に必要な情報を取得し、取得した前記位置推定に必要な情報と、前記リファレンス端末の位置とに基づき前記複数のターゲット端末それぞれの第１の推定位置を求め、
前記無線信号から取得した位置推定に必要な情報と、推定対象ターゲット端末以外の他のターゲット端末の前記第１の推定位置と、前記リファレンス端末の位置とに基づき前記ターゲット端末の第２の推定位置を求めることを特徴とする位置推定方法。
【請求項２】
複数配置され、無線信号を送受信するターゲット端末と、
既知の位置に複数配置され、無線信号を送受信するリファレンス端末と、
前記ターゲット端末及び前記リファレンス端末が送信した無線信号を受信する位置推定装置とを備え、
前記位置推定装置は、前記リファレンス端末より受信した無線信号から、位置推定に必要な情報を取得し、取得した前記位置推定に必要な情報と、前記リファレンス端末の位置とに基づき前記複数のターゲット端末それぞれの第１の推定位置を求め、
前記リファレンス端末及び前記ターゲット端末より受信した無線信号から、位置推定に必要な情報を取得し、取得した前記位置推定に必要な情報と、推定対象ターゲット端末以外の他のターゲット端末の第１の推定位置と、前記リファレンス端末の位置とに基づき前記ターゲット端末の第２の推定位置を求めることを特徴とする位置推定システム。
【請求項３】
前記ターゲット端末は、該ターゲット端末固有の識別符号の情報を送信端末符号として含めた位置推定要求信号を送信すると共に、
当該ターゲット端末以外の前記ターゲット端末から送信された前記位置推定要求信号を受信した場合、受信した前記位置推定要求信号から位置推定に必要な情報を測定し、測定した前記位置推定に必要な情報と、前記位置推定要求信号に含まれる前記送信端末符号の情報と、該ターゲット端末固有の識別符号の情報を中継端末符号として含めた位置推定情報信号を送信し、
前記リファレンス端末は、前記ターゲット端末から送信された前記位置推定要求信号を受信し、受信した前記位置推定要求信号から位置推定に必要な情報を測定し、測定した前記位置推定に必要な情報と、前記位置推定要求信号に含まれる前記送信端末符号の情報と、該リファレンス端末固有の識別符号の情報を中継端末符号として含めた位置推定情報信号を送信し、
前記位置推定装置は、前記ターゲット端末及び前記リファレンス端末から送信された前記位置推定情報信号を受信し、受信した前記位置推定情報信号のうち、前記中継端末符号が前記リファレンス端末である前記位置推定情報信号に含まれる前記位置推定に必要な情報と、前記リファレンス端末の位置とに基づき前記ターゲット端末の第１の推定位置を求め、
前記ターゲット端末及び前記リファレンス端末から受信した前記位置推定情報信号に含まれる前記位置推定に必要な情報と、推定対象ターゲット端末以外の他のターゲット端末の第１の推定位置と、前記リファレンス端末の位置とに基づき、前記ターゲット端末の第２の推定位置を求めることを特徴とする請求項２記載の位置推定システム。
【請求項４】
前記位置推定装置は、前記ターゲット端末の第２の推定位置を求めたとき、該ターゲット端末の第２の推定位置を第１の推定位置として、該ターゲット端末以外のターゲット端末の第２の推定位置を再度求めることを特徴とする請求項２又は３に記載の位置推定システム。
【請求項５】
前記ターゲット端末又は前記リファレンス端末は、前記無線信号の受信電力値を測定し、測定した前記受信電力値の情報を前記位置推定に必要な情報とすることを特徴とする請求項２〜４の何れかに記載の位置推定システム。
【請求項６】
複数配置され、位置推定情報信号を無線で送受信するターゲット端末と、
既知の位置に複数配置され、位置推定情報信号を無線で送信するリファレンス端末とを備え、
前記ターゲット端末は位置推定装置を内蔵し、前記位置推定装置は、複数の前記リファレンス端末から送信された前記位置推定情報信号を受信し、受信した前記位置推定情報信号から位置推定に必要な情報を測定し、測定した前記位置推定に必要な情報と、前記リファレンス端末の位置とに基づき該ターゲット端末の第１の推定位置を求め、
前記第１の推定位置の情報を含めた位置推定情報信号を送信すると共に、
当該ターゲット端末以外の前記ターゲット端末から送信された前記位置推定情報信号を受信した場合、受信した前記位置推定情報信号から位置推定に必要な情報を測定し、
該ターゲット端末以外の前記ターゲット端末から送信された前記位置推定情報信号から測定した前記位置推定に必要な情報と、
受信した前記位置推定情報信号に含まれる該ターゲット端末以外の前記ターゲット端末の第１の推定位置と、
前記リファレンス端末から送信された前記位置推定情報信号から測定した前記位置推定に必要な情報と、
前記リファレンス端末の位置とに基づき、該ターゲット端末の第２の推定位置を求めることを特徴とする位置推定システム。
【請求項７】
前記位置推定装置は、該ターゲット端末の第２の推定位置を求めたとき、
前記第２の推定位置の情報を含めた位置推定情報信号を送信し、
該ターゲット端末以外の前記ターゲット端末から前記第２の推定位置の情報を含めた前記位置推定情報信号を受信した場合、受信した該ターゲット端末以外の前記ターゲット端末の第２の推定位置を第１の推定位置として、該ターゲット端末の第２の推定位置を再度求めることを特徴とする請求項６記載の位置推定システム。
【請求項８】
前記位置推定装置は、前記無線信号の受信電力値を測定し、測定した前記受信電力値の情報を前記位置推定に必要な情報とすることを特徴とする請求項６又は７記載の位置推定システム。
【請求項９】
前記ターゲット端末は、該ターゲット端末の移動を検出する移動検出手段を備え、
該ターゲット端末の移動に関する情報を前記位置推定情報信号に含め、
前記位置推定装置は、前記位置推定情報信号を受信する毎に、前記位置推定情報信号に含まれる情報を蓄積し、前記ターゲット端末の移動に関する情報に基づき、前記蓄積された情報を選択し、前記選択した情報を用いて、前記ターゲット端末の第２の推定位置を求めることをを特徴とする請求項２〜８の何れかに記載の位置推定システム。
【請求項１０】
前記位置推定装置は、前記位置推定情報信号の受信からの経過時間に応じて、前記蓄積された情報を選択し、前記選択した情報を用いて、前記ターゲット端末の第２の推定位置を求めることを特徴とする請求項９記載の位置推定システム。
【請求項１１】
前記位置推定装置は、前記ターゲット端末の第１の推定位置と第２の推定位置との間の距離が所定の値以上のとき、第１の推定位置と第２の推定位置との間の任意の位置を第２の推定位置とすることを特徴とする請求項２〜１０の何れかに記載の位置推定システム。
【発明の詳細な説明】
【技術分野】
【０００１】
本発明は、受信した無線信号を基に無線端末の位置を推定する位置推定システムに関し、特に、高精度な位置推定に関するものである。
【背景技術】
【０００２】
従来の位置推定システムは、例えば、位置を推定したい無線端末（ターゲット端末）と位置が予め分かっている３つ以上の無線端末（リファレンス端末）がそれぞれ周辺の端末へ向けパケットを送信する。パケットには個々の端末固有の識別符号を含む。パケットを受信した各端末は、送信端末が信号到達範囲内にあると判断し、隣接端末リストに送信端末を加える。全ての端末間の通信が完了した後、全ての端末の隣接端末リストは位置推定装置（シンク端末）へと収集される。位置推定装置は、得られた端末間の接続関係とリファレンス端末の位置を用いることで、ターゲット端末の存在し得る範囲を徐々に狭めていく。すなわちパケットの送受信がなされた端未間の距離は信号到達距離以下、送受信がなされなかった端末間の距離は信号到達距離以上と見なし、端末間の距離を２段階（信号到達距離以上もしくは以下）で明らかにすることで位置推定を行うものが提案されている（例えば、非特許文献１参照）。
【０００３】
また、無線伝播路のフェージングを考慮して端末間の距離と受信信号電力との関係をモデル化し、ターゲット端末と複数のリファレンス端末との間の推定距離とリファレンス端末の位置から、ターゲット端末の位置を推定する。また、信号の受信を複数回行うことで、フェージングの影響を低減し、位置推定精度の改善を図るものが提案されている（例えば、特許文献１及び非特許文献２参照）。
【０００４】
【特許文献１】特表２００５−５０７０７０号公報
【非特許文献１】N.Sundaram and P.Ramanathan,"Connectivity Based Location Estimation Scheme for Wireless ad Hoc Networks",IEEE Globecom 2002,p.143-147
【非特許文献２】柳原健太郎、他７名、「センサネットワークにおける受信信号電力を用いた最尤位置推定法」、技術報告、電子情報通信学会、ＩＮ２００４−３２７、ｐ．４０９−４１４
【発明の開示】
【発明が解決しようとする課題】
【０００５】
しかしながら、従来の位置推定システムでは、位置推定の対象となる面積が増加すると、リファレンス端末の数を増加させる必要がある。さらに位置推定精度を上げるためには、リファレンス端末を高密度に設置し、多くの情報を位置推定装置に集める必要があるが、ターゲット端末が増加すると位置推定のための通信量が増加する。集める情報の量はリファレンス端末の密度とターゲット端末数の積に比例する。位置推定のための通信量の増加は、通信の品質を劣化させる可能性がある。したがって、位置推定を行う範囲、ターゲット端末数の増加に伴い、通信量が増加する問題を軽減し、同時に高精度な位置推定を可能とする位置推定システムが求められていた。
【０００６】
また、従来の位置推定システムでは、ターゲット端末の移動がないことを前提としており、ターゲット端末が移動した場合には位置推定精度が下がる。したがって、位置推定の対象となるターゲット端末が移動した場合にも対応できる高精度な位置推定システムが求められていた。
【課題を解決するための手段】
【０００７】
本発明に係る位置推定方法は、複数配置されるターゲット端末と、既知の位置に複数配置されるリファレンス端末とが無線信号を授受し、無線信号とリファレンス端末の位置とに基づきターゲット端末の位置を推定する位置推定方法であって、無線信号から位置推定に必要な情報を取得し、取得した位置推定に必要な情報と、リファレンス端末の位置とに基づき複数のターゲット端末それぞれの第１の推定位置を求め、無線信号から取得した位置推定に必要な情報と、推定対象ターゲット端末以外の他のターゲット端末の第１の推定位置と、リファレンス端末の位置とに基づきターゲット端末の第２の推定位置を求めるものである。
【０００８】
また、ターゲット端末は、当該ターゲット端末の移動を検出する移動検出手段を備え、当該ターゲット端末の移動に関する情報を位置推定情報信号に含め、位置推定情報信号を受信する毎に、位置推定情報信号に含まれる情報を蓄積し、当該ターゲット端末の移動に関する情報に基づき、蓄積された情報を選択し、選択した情報を用いて、当該ターゲット端末の第２の推定位置を求めるものである。
【発明の効果】
【０００９】
本発明は、無線信号から位置推定に必要な情報を取得し、取得した位置推定に必要な情報と、リファレンス端末の位置とに基づき複数のターゲット端末それぞれの第１の推定位置を求め、無線信号から取得した位置推定に必要な情報と、推定対象ターゲット端末以外の他のターゲット端末の第１の推定位置と、リファレンス端末の位置とに基づきターゲット端末の第２の推定位置を求めることにより、リファレンス端末を増加させることなく、、ターゲット端末の推定位置の精度を向上させることができる。
【発明を実施するための最良の形態】
【００１０】
実施の形態１．
図１は本発明の実施の形態１における位置推定システムの構成を示す図である。図１において、ターゲット端末１０は、複数配置され、位置推定の対象である端末であり、位置推定要求信号を送信する。また、ターゲット端末１０は、他のターゲット端末１０が送信した位置推定要求信号の受信電力値Ｓ１を測定し、測定値の情報を位置推定に必要な情報として、位置推定装置３０に送信する。リファレンス端末２０は、複数配置され、予め位置が分かっている端末であり、ターゲット端末１０が送信した位置推定要求信号の受信電力値Ｓ１を測定し、測定値の情報を位置推定に必要な情報として、位置推定装置３０に送信する。位置推定装置３０は、リファレンス端末２０から送信された位置推定に必要な情報である受信電力値Ｓ１をもとに、ターゲット端末１０の位置を推定する。尚、図中の点線は周辺の全端末に対する送信を示し、実線は矢印が示す１つの端末へ向けた送信を示す。
【００１１】
図２は本発明の実施の形態１におけるターゲット端末及びリファレンス端末の構成を示す図である。図２において、ターゲット端末１０及びリファレンス端末２０は、アンテナ２０１、送信回路２０２、受信回路２０３、送信データ生成部２０４、受信データ処理部２０５により構成されている。アンテナ２０１は、無線信号を送受信するためのアンテナである。受信回路２０３は、アンテナ２０１により受信された無線信号が入力され、無線信号を処理しデジタル情報に変換し、受信データとして受信データ処理部２０５に出力する。また、受信回路２０３は、入力された無線信号の受信電力値Ｓ１を測定し、測定した受信電力値Ｓ１の情報を受信データ処理部２０５に出力する。受信データ処理部２０５は、受信回路２０３より入力された受信データを処理し、受信データがターゲット端末１０から送られた位置推定要求信号の場合に、送信データ生成部２０４に対して、受信回路２０３により測定された受信電力値Ｓ１の情報及び位置推定要求信号に含まれる送信端末符号を含めた送信データの作成を指示する。送信データ生成部２０４は、受信データ処理部２０５からの指示により受信データ処理部２０５から入力された受信電力値Ｓ１の情報及び送信端末符号、並びに当該端末固有の識別符号を中継端末符号として含めた位置推定情報信号を生成する。また、送信データ生成部２０４は、位置推定が必要なタイミングで、当該端末固有の識別符号を送信端末符号として含めた位置推定要求信号を生成し、送信回路２０２へ出力する。送信回路２０２は、送信データ生成部２０４で生成された位置推定要求信号又は位置推定情報信号を無線信号に変換しアンテナ２０１へ出力する。
【００１２】
図３は本発明の実施の形態１における位置推定装置の構成を示す図である。図３において、位置推定装置３０は、アンテナ３０１、受信回路３０２、受信データ処理部３０３、位置推定処理部３０４により構成されている。アンテナ３０１は、無線信号を送受信するためのアンテナである。受信回路３０２は、アンテナ３０１により受信された無線信号が入力され、無線信号を処理しデジタル情報に変換し、受信データとして受信データ処理部３０３に出力する。受信データ処理部３０３は、受信回路３０２より入力された受信データを処理し、受信データがターゲット端末１０又はリファレンス端末２０から送信された位置推定情報信号の場合、位置推定情報信号に含まれる情報を位置推定処理部３０４に出力する。位置推定処理部３０４は、受信データ処理部３０３から入力された複数の位置推定情報信号に含まれる情報に基づき、後述する動作により、ターゲット端末１０の位置を推定する。尚、アンテナ３０１、受信回路３０２、受信データ処理部３０３はターゲット端末１０と同様の機器を用い、位置推定処理部３０４のみを専用の機器とし、受信データ処理部３０３と位置推定処理部３０４が通信を介して接続する形態としても良い。
【００１３】
このように構成された本実施の形態１の動作について説明する。
まず、ターゲット端末１０は、当該ターゲット端末１０固有の識別符号を送信端末符号として含めた位置推定要求信号を周辺の全端末に向け送信する。次に、上記位置推定要求信号を送信したターゲット端末１０以外のターゲット端末１０及びリファレンス端末２０は、受信した位置推定要求信号の受信電力値Ｓ１を計測し、受信電力値Ｓ１の情報及び送信端末符号、並びに当該端末固有の識別符号を中継端末符号として含めた位置推定情報信号を位置推定装置３０へ送信する。位置推定装置３０は、各ターゲット端末１０及び各リファレンス端末２０から受信した位置推定情報信号に含まれる情報を保存し、保存した情報に基づきターゲット端末１０の位置を推定する。
次に、位置推定装置３０の位置推定の動作について図４により説明する。
【００１４】
図４は本発明の実施の形態１における位置推定装置の位置推定動作を示すフローチャートである。位置推定装置３０は、位置推定情報信号を受信し、位置推定を開始する（Ｓ１）。受信した位置推定情報信号の送信端末符号が示す全てのターゲット端末１０について、第１の推定位置を求める第１推定段階を実行する（Ｓ２、Ｓ３）。第１推定段階は、推定位置を求めるターゲット端末１０の送信端末符号が含まれた位置推定情報信号のうち、中継端末符号がリファレンス端末２０である位置推定情報信号に含まれる受信電力値Ｓ１の情報と、リファレンス端末２０の位置とに基づき、ターゲット端末１０の推定位置を求める。推定位置は、例えば、各リファレンス端末２０と当該ターゲット端末１０間で授受された情報とリファレンス端末２０の位置から、当該ターゲット端末１０が存在すると考えられる各地点における存在確率を計算する。次に最尤推定法等の手法を用いて、当該ターゲット端末１０の存在確率が最も高い点を探索し、該当点を当該ターゲット端末１０の推定位置とする。また例えば、受信電力値Ｓ１と距離との関係を示すテーブルを参照し、予め位置が分かっている複数のリファレンス端末２０とターゲット端末１０との距離を得ることにより推定位置を求める。尚、推定位置の取得方法はこれに限らず、他の方法を用いて推定位置を求めても良い。上記、第１推定段階（Ｓ３）を全てのターゲット端末１０に対して実行する（Ｓ２〜Ｓ４）。
【００１５】
次に、上記第１推定段階（Ｓ３）で求めた、ターゲット端末１０の第１の推定位置と、ターゲット端末１０とリファレンス端末２０から受信した位置推定情報信号と、リファレンス端末２０の位置とに基づき、ターゲット端末１０の第２の推定位置を求める第２推定段階を実行する。第２推定段階は、推定位置を求めるターゲット端末１０の送信端末符号が含まれた位置推定情報信号に含まれる受信電力値Ｓ１の情報と、リファレンス端末２０の位置と、当該ターゲット端末１０以外のターゲット端末１０の第１の推定位置とに基づき、ターゲット端末１０の推定位置を求める。推定位置は、上記第１推定段階と同様の方法で求める。上記、第２推定段階（Ｓ６）を全てのターゲット端末１０に対して実行する（Ｓ５〜Ｓ７）。求められた第２の推定位置は、第１の推定位置と比較して、ターゲット端末１０間で授受された情報を利用しているため、推定誤差が少なくなる。
【００１６】
第２推定段階の実行によって、ターゲット端末１０の推定位置は、第１の推定位置から第２の推定位置に変更される。ここで、ターゲット端末１０の推定位置を他のターゲット端末１０の位置推定に用いているため、ターゲット端末１０の推定位置の変更は周辺の異なるターゲット端末１０の位置推定に影響を与える。そこで、ターゲット端末１０の推定位置が変更された場合には、他のターゲット端末１０の位置推定を再度行う。即ち、第２の推定位置を第１の推定位置として、当該ターゲット端末１０以外の他のターゲット端末１０に関して、第２推定段階を繰り返し実行する（Ｓ５〜Ｓ８）。第２推定段階の繰り返しを続けるか否かは全てのターゲット端末１０に関して、位置推定の結果が収束した場合、もしくは計算時間等の制約によって判断する（Ｓ８）。
【００１７】
尚、第２推定段階を繰り返し実行する過程（Ｓ５〜Ｓ８）で、ターゲット端末１０の位置関係によっては推定位置の更新が互いに影響を及ぼしあうことで、位置推定の結果が収束しなくなる可能性がある。例えば、ターゲット端末１０が、一直線上に配置された３台のリファレンス端末２０からの信号のみ受信した場合には、３台のリファレンス端末２０を結ぶ直線を線対称とする２つの点が推定位置となる。また例えば、位置推定情報信号の衝突などによって、リファレンス端末からの信号を２つしか受信することができなかった２つのターゲット端末１０が両リファレンス端末２０から等距離に存在した場合には、推測される２つの点（リファレンス端末２０を中心とする円弧の交点）が２つのターゲット端末１０の推定位置となる。このような場合には、第２推定段階を繰り返し行うと、ターゲット端末１０は、２つの推定位置を交互に推定し、位置推定が収束しない可能性がある。
従って、位置推定処理部３０４は、推定位置を更新する場合に得られた推定位置と過去の推定位置とを比較し、状況に応じて推定位置を補正する機能を持たせる。例えば、ターゲット端末の第１の推定位置と第２の推定位置との間の距離が所定の値以上のとき、第１の推定位置と第２の推定位置との間の任意の位置を第２の推定位置とする。尚、任意の位置の決定方法として、例えば、第１の推定位置と第２の推定位置の尤度を用いても良い。
【００１８】
また、例えば、更新後の推定位置と更新前の推定位置が大きく異なる場合には、更新前の推定位置と更新後の推定位置を結ぶ線分上の位置を更新後の推定位置とする。また例えば、位置推定処理部３０４で過去の推定位置を記録し、更新後の推定位置が過去の推定位置と同一である場合には、処理を中止する。
【００１９】
尚、第１推定段階において、ターゲット端末１０の位置を推定する際に、すでに位置推定が完了している他のターゲット端末１０の識別符号と中継端末符号が一致する情報が位置推定装置３０に存在する場合には、他のターゲット端末１０をリファレンス端末２０と見なして当該ターゲット端末１０の位置推定に利用しても良い。
【００２０】
また、ターゲット端末１０の移動が少ない状況においては、第１及び第２推定段階において過去に授受されたデータを合わせて用いても良い。このようにすることで、フェージングなどによる受信電力の瞬時的な変動の影響を排除することが可能となる。
【００２１】
以上のように、ターゲット端末１０が他のターゲット端末１０から受信した情報を位置推定装置３０に送信することによって、リファレンス端末２０の数が少ない状況であっても、より精度の高い位置推定を実現することができ、通信量の増加を軽減できる。また、周辺のターゲット端末１０の位置推定結果を利用して、繰り返して位置推定を行うことで、より精度の高い位置推定を実現することができる。
【００２２】
実施の形態２．
上記実施の形態１では、位置推定装置３０により位置推定を行ったが、本実施の形態２では、ターゲット端末１０に位置推定装置を内蔵し、ターゲット端末１０及びリファレンス端末２０のみの構成により、ターゲット端末１０の位置推定を行う。
【００２３】
図５は本発明の実施の形態２における位置推定システムの構成を示す図である。図５において、ターゲット端末１０は、複数配置され、位置推定の対象である端末であり、位置推定情報信号を送受信する。また、ターゲット端末１０は、リファレンス端末２０又は他のターゲット端末１０が送信した位置推定情報信号をもとに当該ターゲット端末１０の位置を推定する。リファレンス端末２０は、複数配置され、予め位置が分かっている端末であり、位置推定情報信号を定期的に送信する。尚、図中の点線は周辺の全端末に対する送信を示す。
【００２４】
図６は本発明の実施の形態２におけるリファレンス端末の構成を示す図である。図６において、リファレンス端末２０は、アンテナ２１１、送信回路２１２、送信データ生成部２１３により構成されている。アンテナ２１１は、無線信号を送信するためのアンテナである。送信データ生成部２１３は、当該リファレンス端末固有の識別符号を含めた位置推定情報信号を生成する。送信回路２１２は、送信データ生成部２１３で生成された位置推定情報信号を無線信号に変換しアンテナ２１１へ出力する。
【００２５】
図７は本発明の実施の形態２におけるターゲット端末の構成を示す図である。図７において、ターゲット端末１０は、アンテナ１１１、送信回路１１２、受信回路１１３、送信データ生成部１１４、受信データ処理部１１５、位置推定処理部１１６により構成されている。アンテナ１１１は、無線信号を送受信するためのアンテナである。受信回路１１３は、アンテナ１１１により受信された無線信号が入力され、無線信号を処理しデジタル情報に変換し、受信データとして受信データ処理部１１５に出力する。また、受信回路１１３は、入力された無線信号の受信電力値Ｓ１を測定し、測定した受信電力値Ｓ１の情報を受信データ処理部１１５に出力する。受信データ処理部１１５は、受信回路１１３より入力された受信データを処理し、受信データがターゲット端末１０又はリファレンス端末２０から送られた位置推定情報信号の場合に、位置推定情報信号に含まれる情報及び測定した受信電力値Ｓ１の情報を位置推定処理部１１６に出力する。位置推定処理部１１６は、受信データ処理部１１５から入力された複数の位置推定情報信号に含まれる情報に基づき、後述する動作により、当該ターゲット端末１０の位置を推定し、推定位置の情報を送信データ生成部１１４に出力する。送信データ生成部１１４は、位置推定処理部１１６から入力された当該ターゲット端末１０の推定位置の情報及び当該端末固有の識別符号を含めた位置推定情報信号を生成し、送信回路１１２へ出力する。送信回路１１２は、送信データ生成部１１４で生成された位置推定情報信号を無線信号に変換しアンテナ１１１へ出力する。
このように構成された本実施の形態２の動作について図８により説明する。
【００２６】
図８は本発明の実施の形態２におけるターゲット端末の位置推定動作を示すフローチャートである。まず、各リファレンス端末２０は、当該リファレンス端末２０固有の識別符号を含めた位置推定情報信号を送信する。ターゲット端末１０は、各リファレンス端末２０から送信された位置推定情報信号を受信し（Ｓ１１）、受信した位置推定情報信号の受信電力値Ｓ１を計測し、受信電力値Ｓ１の情報及びリファレンス端末２０の位置とに基づき、当該ターゲット端末１０の第１の推定位置を求める第１推定段階を実行する（Ｓ１２）。推定位置の取得は、上記実施の形態１と同様の動作により行う。尚、推定位置の取得はこれに限らず、他の方法を用いて推定位置を求めても良い。次に、上記第１推定段階（Ｓ１２）で求めた、当該ターゲット端末１０の第１の推定位置の情報と、当該ターゲット端末１０固有の識別符号を含めた位置推定情報信号を送信する（Ｓ１３）。
【００２７】
ターゲット端末１０は、他のターゲット端末１０から送信された位置推定情報信号を受信し（Ｓ１４）、受信した位置推定情報信号の受信電力値Ｓ１を計測し、受信電力値Ｓ１の情報及び位置推定情報信号に含まれる他のターゲット端末１０の第１の推定位置と、リファレンス端末２０より受信した位置推定情報信号から取得した受信電力値Ｓ１の情報と、リファレンス端末２０の位置とに基づき、当該ターゲット端末１０の第２の推定位置を求める第２推定段階を実行する（Ｓ１５）。推定位置は、上記第１推定段階と同様の方法で求める。求められた第２の推定位置は、第１の推定位置と比較して、ターゲット端末１０間で授受された情報を利用しているため、推定誤差が少なくなる。
【００２８】
第２推定段階の実行（Ｓ１５）によって、ターゲット端末１０の推定位置は、第１の推定位置から第２の推定位置に変更される。ここで、ターゲット端末１０の推定位置の情報を他のターゲット端末１０の位置推定に用いているため、ターゲット端末１０の推定位置の変更は周辺の異なるターゲット端末１０の位置推定に影響を与える。そこで、ターゲット端末１０の推定位置が変更された場合には、他のターゲット端末１０の位置推定を再度行う。即ち、当該ターゲット端末１０の第２の推定位置の情報を含めた位置推定情報信号を送信すると共に、他のターゲット端末１０から第２の推定位置を含む位置推定情報信号を受信した場合、他のターゲット端末１０の第２の推定位置を第１の推定位置として、手順Ｓ１３〜Ｓ１５を繰り返し実行する（Ｓ１６）。第２推定段階の繰り返しを続けるか否かは全てのターゲット端末１０に関して、位置推定の結果が収束した場合、もしくは計算時間等の制約によって判断する（Ｓ１６）。
【００２９】
本実施の形態２の場合も上記実施の形態１と同様に、反復計算の過程で、端末の位置関係によっては推定位置の更新が互いに影響を及ぼしあうことで、位置推定の結果が収束しなくなる可能性がある。従って位置推定処理部１１６は、推定位置を更新する場合に得られた推定位置と過去の推定位置とを比較し、状況に応じて推定位置を補正する機能を持たせる。
【００３０】
尚、第２推定段階を繰り返し実行する過程において、リファレンス端末２０も定期的に位置推定情報信号を送信し、ターゲット端末１０が同一リファレンス端末２０と複数回の信号授受を行うことで、リファレンス端末２０との位置関係をより正確に計測することができる。第２推定段階においてターゲット端末１０の推定位置を更新する際に、合わせてターゲット端末１０とリファレンス端末２０の位置関係を更新することによって、位置推定精度を改善することができる。
【００３１】
以上のように、ターゲット端末１０の位置推定結果を周辺のターゲット端末１０に伝えて利用することで、リファレンス端末２０の数が少ない状況であっても、より精度の高い位置推定を実現することができる。また、ターゲット端末１０が位置推定処理を行うことで、リファレンス端末２０と位置推定装置３０間の通信をなくすことができ、位置推定のために用いる通信量をさらに削減することができる。
【００３２】
実施の形態３．
本実施の形態３では、上記実施の形態１の構成に加え、ターゲット端末１０に移動検出機能を付加し、端末の移動情報を位置推定に用いる。尚、位置推定システムの構成、リファレンス端末２０、位置推定装置３０の構成は上記実施の形態１と同様である。
【００３３】
図９は本発明の実施の形態３におけるターゲット端末の構成を示す図である。図９において、ターゲット端末１０は、アンテナ１２１、送信回路１２２、受信回路１２３、送信データ生成部１２４、受信データ処理部１２５、移動検出部１２６により構成されている。アンテナ１２１は、無線信号を送受信するためのアンテナである。受信回路１２３は、アンテナ１２１により受信された無線信号が入力され、無線信号を処理しデジタル情報に変換し、受信データとして受信データ処理部１２５に出力する。また、受信回路１２３は、入力された無線信号の受信電力値Ｓ１を測定し、測定した受信電力値Ｓ１の情報を受信データ処理部１２５に出力する。受信データ処理部１２５は、受信回路１２３より入力された受信データを処理し、受信データがターゲット端末１０から送られた位置推定要求信号の場合に、送信データ生成部１２４に対して、受信回路１２３により測定された受信電力値Ｓ１の情報及び位置推定要求信号に含まれる送信端末符号を含めた送信データの作成を指示する。移動検出部１２６は、加速度センサ等の端末の移動を検出する機能を持ち、移動に関する情報を送信データ生成部１２４へ出力する。送信データ生成部１２４は、受信データ処理部１２５からの指示により、移動検出部１２６から入力された端末の移動に関する情報及び受信データ処理部１２５から入力された受信電力値Ｓ１の情報並びに送信端末符号と、中継端末符号として当該端末固有の識別符号とを含めた位置推定情報信号を生成する。また、送信データ生成部１２４は、位置推定が必要なタイミングで、当該端末固有の識別符号を送信端末符号として含めた位置推定要求信号を生成し、送信回路１２２へ出力する。送信回路１２２は、送信データ生成部１２４で生成された位置推定要求信号又は位置推定情報信号を無線信号に変換しアンテナ１２１へ出力する。
【００３４】
このように構成された本実施の形態３の動作について説明する。まず、ターゲット端末１０は、移動検出部１２６により検出した当該ターゲット端末１０の移動に関する情報と、当該ターゲット端末１０固有の識別符号を送信端末符号として含めた位置推定要求信号を周辺の全端末に向け送信する。次に、上記位置推定要求信号を送信したターゲット端末１０以外のターゲット端末１０及びリファレンス端末２０は、受信した位置推定要求信号の受信電力値Ｓ１を計測し、受信電力値Ｓ１の情報及びターゲット端末１０の移動に関する情報及び送信端末符号、並びに当該端末固有の識別符号を中継端末符号として含めた位置推定情報信号を位置推定装置３０へ送信する。位置推定装置３０は、各ターゲット端末１０及びリファレンス端末２０から受信した位置推定情報信号に含まれる情報を蓄積し、蓄積した情報に基づきターゲット端末１０の位置を推定する。
【００３５】
位置推定の動作は上記実施の形態１と同様であるが、位置推定に用いる情報においては、推定対象ターゲット端末１０の移動に関する情報に基づき、蓄積された情報を選択し、選択した情報を用いて、当該ターゲット端末の第２の推定位置を求める。例えば、ターゲット端末１０の移動がない場合には、過去に授受された情報を利用する。また例えば、ターゲット端末１０が移動した場合は、受信した情報に重み付けをし、過去に授受された情報の重みを下げる。
【００３６】
また、位置推定情報信号の受信からの経過時間に応じて、蓄積された情報を選択し、選択した情報を用いて、ターゲット端末の第２の推定位置を求めても良い。例えば、受信した情報に重み付けをし、情報を受信した時からの経過時間に応じて情報の重みを変更する。
【００３７】
以上のように、端末の移動情報を用いることで、実施の形態１の効果に加え、ターゲット端末１０間で過去に授受したデータを位置推定に用いる上で、ターゲット端末１０の移動に応じて利用することが可能となり、位置推定精度を改善することが可能となる。また、過去の情報を利用するために、定期的に位置推定信号を送信する間隔を長くすることが可能となり、位置推定に用いる通信量をさらに削減することも可能となる。また、過去の複数の情報を利用し平均化した情報を用いることが可能となり、フェージングの影響を減少させ、精度の高い位置推定が可能となる。
【００３８】
尚、上記説明では、実施の形態１の構成に加えてターゲット端末１０に移動検出機能を付加した場合を説明したが、これに限らず実施の形態２の構成により、ターゲット端末１０に移動検出機能を付加しても良い。この場合においても、同様にターゲット端末に移動検出機能を付加することで、位置推定精度を向上することが可能である。
【００３９】
尚、上記実施の形態１〜３では、位置推定に必要な情報として、無線信号の受信電力値を用いた位置推定を行うシステムについて説明したが、本発明は、位置推定に必要な情報を無線信号の受信電力値に限るものではなく、ターゲット端末１０又はリファレンス端末２０で測定できる情報であれば、信号の伝搬遅延時間や信号の到来方向又は複数の波長の信号の伝搬遅延の差などでも良く、その他の情報であっても良い。
【図面の簡単な説明】
【００４０】
【図１】本発明の実施の形態１における位置推定システムの構成を示す図である。
【図２】本発明の実施の形態１におけるターゲット端末及びリファレンス端末の構成を示す図である。
【図３】本発明の実施の形態１における位置推定装置の構成を示す図である。
【図４】本発明の実施の形態１における位置推定装置の位置推定動作を示すフローチャートを示す図である。
【図５】本発明の実施の形態２における位置推定システムの構成を示す図である。
【図６】本発明の実施の形態２におけるリファレンス端末の構成を示す図である。
【図７】本発明の実施の形態２におけるターゲット端末の構成を示す図である。
【図８】本発明の実施の形態２における位置推定装置の位置推定動作を示すフローチャートを示す図である。
【図９】本発明の実施の形態３におけるターゲット端末の構成を示す図である。
【符号の説明】
【００４１】
１０ ターゲット端末、２０ リファレンス端末、３０ 位置推定装置、１１１ アンテナ、１１２ 送信回路、１１３ 受信回路、１１４ 送信データ生成部、１１５ 受信データ処理部、１１６ 位置推定処理部、１２１ アンテナ、１２２ 送信回路、１２３ 受信回路、１２４ 送信データ生成部、１２５ 受信データ処理部、１２６ 移動検出部、２０１ アンテナ、２０２ 送信回路、２０３ 受信回路、２０４ 送信データ生成部、２０５ 受信データ処理部、２１１ アンテナ、２１２ 送信回路、２１３ 送信データ生成部、３０１ アンテナ、３０２ 受信回路、３０３ 受信データ処理部、３０４ 位置推定処理部、Ｓ１ 受信電力値。
【図１】
2007218614.tif 000003
【図２】
2007218614.tif 000004
【図３】
2007218614.tif 000005
【図４】
2007218614.tif 000006
【図５】
2007218614.tif 000007
【図６】
2007218614.tif 000008
【図７】
2007218614.tif 000009
【図８】
2007218614.tif 000010
【図９】
2007218614.tif 000011